(57)【要約】【課題】空状態において、コンパクトに折り畳むことが可能で、保管スペースを削減し、運搬のコストを低減することができ、かつ、加工食品等を輸送、保管等の取り扱いが容易なワンウェイ容器を提供すること。【解決手段】密閉機構１７ａ、１７ｂ、２４ａ、２４ｂと、開封のための切り取り機構１３、１３ａとを備えたワンウェイ容器１において、容器本体２を、合成樹脂製の枠部材４と、この枠部材４に融着又は接着により一体化して配設される合成樹脂シート製の袋体５と、枠部材４に嵌着して配設される外殻部材６とから構成する。【選択図】    図２
2004244086.tif 000002
【特許請求の範囲】
【請求項１】
密閉機構と、開封のための切り取り機構とを備えたワンウェイ容器において、容器本体を、合成樹脂製の枠部材と、該枠部材に融着又は接着により一体化して配設される合成樹脂シート製の袋体と、枠部材に嵌着して配設される外殻部材とから構成したことを特徴とするワンウェイ容器。
【請求項２】
外殻部材が、上部を開放した折り畳み可能な箱箱からなることを特徴とする請求項１記載のワンウェイ容器。
【発明の詳細な説明】
【０００１】
【発明の属する技術分野】
本発明は、加工食品等を輸送、保管等する際に用いられる、密閉機構と、開封のための切り取り機構とを備えたワンウェイ容器に関するものである。
【０００２】
【従来の技術】
従来のワンウェイ容器５０は、図５に示すように、加工食品等を詰め込む上面を開放した硬質の合成樹脂からなる容器本体５１と、軟質の合成樹脂からなる蓋５２とから構成される。
【０００３】
容器本体５１は、周壁５３の外面には、その上端部において段部５４を設け、この段部５４よりも上方に、それぞれ下へ逃げ角を有する断面三角形状の環状突部５５ａ、５５ｂを形成し、周壁５３の内面には、段部５４より上方に下面が垂直面となる環状段部５６を形成する。
【０００４】
蓋５２は、容器本体５１の環状段部５６に掛かる位置から上下に屈折してなる縁部５７を形成し、環状突部５５に対応する位置に環状溝部５８ａ、５８ｂを形成する。この環状溝部５８ａ、５８ｂと、環状突部５５ａ、５５ｂとが嵌合することによって容器本体５１と蓋５２を密閉する密閉機構が完成する。
【０００５】
また、このワンウェイ容器５０には、密閉された容器本体５１と蓋５２を開封する切り取り機構６０を蓋５２側に形成し、切り取り機構６０を、矢符Ｑの方向に引っ張ることにより、縁部５７の下端部５７ａをＰの位置で切り離すことができ、蓋５２を容器本体５１から分離、開封し、容器本体５１に収容された加工食品等を取り出すことが可能となる（特許文献１参照。）。
【０００６】
【特許文献１】
実開平７−９７４１号公報
【０００７】
【発明が解決しようとする課題】
しかしながら、上記ワンウェイ容器５０の場合、容器本体５１の深さによって、その空間を占める容積が決定され、空状態の容器であっても嵩が増え、多くの保管スペースが必要であるとともに、空状態での運搬にもコストがかかる等の問題があった。
【０００８】
本発明は、上記従来のワンウェイ容器の有する問題点に鑑み、空状態において、コンパクトに折り畳むことが可能で、保管スペースを削減し、運搬のコストを低減することができ、かつ、加工食品等を輸送、保管等の取り扱いが容易なワンウェイ容器を提供することを目的とする。
【０００９】
【課題を解決するための手段】
上記目的を達成するため、本発明のワンウェイ容器は、密閉機構と、開封のための切り取り機構とを備えたワンウェイ容器において、容器本体を、合成樹脂製の枠部材と、該枠部材に融着又は接着により一体化して配設される合成樹脂シート製の袋体と、枠部材に嵌着して配設される外殻部材とから構成したことを特徴とする。
【００１０】
このワンウェイ容器は、容器本体を、合成樹脂製の枠部材と、該枠部材に融着又は接着により一体化して配設される合成樹脂シート製の袋体と、枠部材に嵌着して配設される外殻部材とから構成するようにしているので、空状態においては、コンパクトに折り畳むことが可能で、保管スペースを削減することができ、また、運搬、保管等の際は、柔軟な合成樹脂シート製の袋体が枠部材に嵌着して配設される外殻部材によって覆われるため、取り扱いが容易となる。
【００１１】
この場合において、外殻部材を上部を開放した折り畳み可能な箱から構成することができる。
【００１２】
これにより、外殻部材を折り畳んで保管、運搬することにより、保管スペースを削減し、運搬のコストを低減することができる。
【００１３】
【発明の実施の形態】
以下、本発明のワンウェイ容器の実施の形態を図面に基づいて説明する。
【００１４】
図１〜図２に、本発明のワンウェイ容器の一実施例を示す。
このワンウェイ容器１は、容器本体２と、蓋３とからなり、さらに、容器本体２は、枠部材４と、袋体５と、外殻部材６とからなる。
【００１５】
蓋３は、特に限定されるものではないが、ポリエチレン、ポリプロピレン等の合成樹脂からなり、周壁２０の内周面２１下方に、下へ逃げ角を有する断面三角形状の環状突部２４ａ、２４ｂを突出形成し、外周面２２に突出した段部２３を構成してなる。
【００１６】
枠部材４は、特に限定されるものではないが、ポリエチレン、ポリプロピレン等の合成樹脂からなり、断面略Ｈ状に形成され、上端内壁１１と上端外壁１３によって形成される上部空間１５により、蓋３の周壁２０下端部の嵌入を許容するように構成されている。
そして、上端内壁１１の外周面には、上へ逃げ角を有する断面三角形状の環状突部１７ａ、１７ｂを突出形成し、環状突部２４ａ、２４ｂと嵌合することによって密閉機構を構成するようにしている。
なお、環状突部１７ａ、１７ｂは、蓋３の周壁２０に形成した、環状突部２４ａ、２４ｂと嵌合する環状溝部で構成することもできる。
また、環状突部１７ａ、１７ｂを、上端外壁１３の内周面に形成するとともに、環状突部２４ａ、２４ｂを蓋３の周壁２０の外周面２２に形成するようにしてもよい。
【００１７】
上端外壁１３には、全周に亘って切り取り用の環状溝１３ｂを設け、保持片１３ａを持って引っ張ることにより、上端外壁１３を枠部材４から容易に切り離すことが可能にした切り取り機構を構成するようにする。
【００１８】
下端内壁１２及び下端外壁１４によって形成される下部空間１６は、袋体５と外殻部材６の嵌入を許容するもので、下端内壁１２の外周面１２ａに袋体５を融着又は接着により一体化して配設するようにする。
【００１９】
袋体５は、特に限定されるものではないが、ポリエチレン等の合成樹合成樹脂シート（さらに、必要に応じて、ラミネートを施したものを使用することができる。）製のもので、枠部材４に融着又は接着により一体化して配設される。
【００２０】
外殻部材６は、袋体５が融着又は接着によって取り付けられた枠部材４の下部空間１６に嵌合可能な厚みを有する上部を開放した箱からなる。
より具体的には、外殻部材６は、例えば、段ボール製、合成樹脂製等で、特に、枠体４に組み込まれるまでは折り畳んで保管することが可能な部材を好適に用いることができ、これにより、外殻部材６を折り畳んで保管、運搬することができる。また、剛性を有する合成樹脂成形品を用いることにより、枠部材４の下部空間１６への嵌合作業を簡易に行うことができる。
【００２１】
また、下端外壁１４の内周面には外殻部材６の脱落を防止すべく、楔状の突起物を形成するようにしてもよい。
【００２２】
このワンウェイ容器１は、容器本体２を枠部材４と、袋体５と、外殻部材６とを分離した状態で製造し、枠部材４の下端内壁１２の外周面１２ａに袋体５を融着又は接着等によって取り付け、加工食品等を詰め込む作業の前に外殻部材６を嵌合して容器本体２を完成させるようにする。
外殻部材６は、上部を開放した箱状のもののほか、上部及び下部を開放した枠状のものを使用することができる。
【００２３】
完成した容器本体２に、加工食品等を詰め込み、蓋３を閉める際、蓋３の周壁２０の内周面２１に形成した環状突部２４が、枠部材４の上端内壁１１に形成した環状突部１７と嵌合することによってワンウェイ容器１は密閉され、詰め込んだ加工食品等からの液漏れ等を有効に防止することができる。
【００２４】
そして、このワンウェイ容器１の袋体５に詰め込んだ加工食品等を取り出す場合には、枠部材４に形成した開封のための保持片１３ａを引っ張ることにより、上端外壁１３を、その下端部の切り取り用の環状溝１３ｂで切り離すことができ、これにより、蓋５２を容器本体５１から分離、開封することが可能となり、袋体５に収容された加工食品等を取り出すことが可能となる。
【００２５】
また、同一の枠部材４と蓋３を使用する場合であっても、袋体５と外殻部材６のサイズを変更するだけでワンウェイ容器１の容量を変更することが可能となり、製作コストの低減や在庫管理を簡易に行うことができる。
【００２６】
ところで、上記実施例のワンウェイ容器１においては、袋体５を融着又は接着等によって取り付ける枠部材４の下端内壁１２の外周面１２ａを鉛直面としたが、図３に示す第１変形実施例のように、下端内壁１２の外周面１２ａに数度程度（本実施例においては、２度）の内方に向く傾斜角度を付与して傾斜面とすることもできる。これにより、枠部材４の下端内壁１２の外周面１２ａに袋体５を融着又は接着等によって取り付け、加工食品等を詰め込む作業の前に外殻部材６を嵌合する作業を円滑に行うことができる。
また、図３に示す第１変形実施例においては、枠部材４の上端外壁１３よりも上端内壁１１を高く形成し、上端内壁１１の上端面が蓋３に当接し、当たりを取るようにしている。
【００２７】
さらに、図４に示す第２変形実施例のように、ワンウェイ容器１を持ち運び易くするために、取手部７を形成することができる。
この取手部７は、枠部材４、例えば、枠部材４の下端外壁１４に連結片７１を介して一体成形し、枠部材４に嵌合することにより取り付けた外殻部材６に形成した窓孔（図示省略）に埋め込むように取り付けるようにする。
【００２８】
以上、本発明のワンウェイ容器について、その実施例に基づいて説明したが、本発明は上記実施例に記載した構成に限定されるものではなく、切り取り機構を構成する上端外壁１３及び保持片１３ａに該当する機構を蓋３側に形成するようにする等、その趣旨を逸脱しない範囲において適宜その構成を変更することができるものである。
【００２９】
【発明の効果】
本発明のワンウェイ容器は、容器本体を、合成樹脂製の枠部材と、該枠部材に融着又は接着により一体化して配設される合成樹脂シート製の袋体と、枠部材に嵌着して配設される外殻部材とから構成するようにしているので、空状態においては、コンパクトに折り畳むことが可能で、保管スペースを削減することができ、また、運搬、保管等の際は、柔軟な合成樹脂シート製の袋体が枠部材に嵌着して配設される外殻部材によって覆われるため、取り扱いが容易となる。
また、枠部材に嵌着して配設される外殻部材は、使用後、必要に応じて、取り外して再使用することができる。
【００３０】
また、外殻部材を上部を開放した折り畳み可能な箱から構成することにより、外殻部材を折り畳んで保管、運搬することにより、保管スペースを削減し、運搬のコストを低減することができる。
【図面の簡単な説明】
【図１】本発明のワンウェイ容器の一実施例を示す斜視図である。
【図２】同要部の断面図である。
【図３】本発明のワンウェイ容器の第１変形実施例を示す要部の断面図である。
【図４】本発明のワンウェイ容器の第２変形実施例を示し、（ａ）は要部の断面図、（ｂ）は要部の斜視図である。
【図５】従来のワンウェイ容器の要部の一部断面図である。
【符号の説明】
１    ワンウェイ容器
２    容器本体
３    蓋
４    枠部材
５    袋体
６    外殻部材
７    取手部
１３  上端外壁（切り取り機構）
１３ａ  保持片（切り取り機構）
【図１】
2004244086.tif 000003
【図２】
2004244086.tif 000004
【図３】
2004244086.tif 000005
【図４】
2004244086.tif 000006
【図５】
2004244086.tif 000007